(57)【要約】【課題】効率よく室内を加湿でき、且つユーザが安全に利用できる加湿装置を提供する。【解決手段】建物の室内に設置され、その室内を加湿する加湿装置１であって、内部に液体を蓄える貯水槽１１が設けられた筐体１０と、貯水槽１１の内部に取り付けられた第１回転ローラ３０と、第１回転ローラ３０を回転させる駆動手段と、壁面Ｂに支持部材５１を介して取り付けられた第２回転ローラ５０と、貯水槽１１の内部に取り付けられた第１回転ローラ３０と第２回転ローラ５０とに巻掛けられ室内に張架された布材により形成された無端ベルト２０とを備えている。また、無端ベルト２０は、駆動手段が第１回転ローラ３０を回転させると、貯水槽１１に蓄えられた液体内を通って液体の水分を吸収して室内を巡回移動し、巡回移動している際に吸収した水分が気化されるようになされている。【選択図】図１
0003151473.tif 000002
【実用新案登録請求の範囲】
【請求項１】
建物の室内に設置され、該室内を加湿する加湿装置であって、
内部に液体を蓄える貯水槽が設けられた筐体と、
前記貯水槽の内部に取り付けられた第１回転ローラと、
前記室内の天井面又は壁面に支持部材を介して取り付けられた第２回転ローラと、
前記第１回転ローラ又は前記第２回転ローラを回転させる駆動手段と、
前記貯水槽の内部に取り付けられた第１回転ローラと前記第２回転ローラとに巻掛けられ前記室内に張架された環状の無端ベルトとを備え、
前記無端ベルトは、前記駆動手段が前記第１回転ローラ又は前記第２回転ローラを回転させると、前記貯水槽に蓄えられた液体内を通って該液体の水分を吸収して前記室内を巡回移動し、該巡回移動している際に該吸収した水分が気化されるようになされていることを特徴とする加湿装置。
【請求項２】
前記筐体には、前記貯水槽の上方側に、前記無端ベルトを挟持して、該無端ベルトが吸収した水分を適宜量に調整する絞り機構が設けられていることを特徴とする請求項１に記載の加湿装置。
【請求項３】
前記液体には、殺菌作用を有する消毒成分、又は、芳香成分しくは消臭成分が含有されていることを特徴とする請求項１又は請求項２に記載の加湿装置。
【考案の詳細な説明】
【技術分野】
【０００１】
本考案は、室内の乾燥を防止する加湿装置に関する。
【背景技術】
【０００２】
従来から知られている加湿器には、種々の方式のものがあるが、例えば、特許文献１には、気化式の加湿器の構成が開示されている。
ここで、特許文献１に開示されている気化式の加湿器の構成について図５を用いて説明する。
【０００３】
図６に示すように、加湿器１００は、吸い込み口１０２ａ及び吹出口１０２ｂを有する加湿器本体１０２と、加湿器本体１０２内に設けられた送風機１１４と、送風機１１４の送風路１１５内に設けられた気化フィルタ１１６と、気化フィルタ１１６に水を供給する水槽１１７とを備えている。
上記加湿器１００は、送風機１１４を運転させると、吸い込み口１０２ａから加湿器本体１０２内に空気が吸い込まれ、その吸い込まれた空気が気化フィルタ１１６を通過する。また、前記空気が気化フィルタ１１６を通過する際、気化フィルタ１１６が吸い上げた水が気化される。そして、前記気化された水分（湿気）は、送風機１１４により吹出口１０２ｂから室内に吹き出される。
このように、上記加湿器１００は、加湿器本体１０２に設けられた吹出口１０２ｂから気化した水分を吹き出すことにより、室内の湿度を上昇させるようになされている。
【０００４】
また、例えば、特許文献２には、加熱式の加湿器が開示されている。
具体的には、特許文献２の加熱式の加湿器は、給水タンクと、当該給水タンクより補給される水を蓄える水槽と、当該水槽より補給される水を加熱して沸騰させる蒸発槽と、当該蒸発槽で発生した水蒸気を外部へ吐出させる蒸気発生管とを備えている。
このように、加熱式の加湿器は、蒸気発生管から水を沸騰させて発生させた水蒸気を吹き出すことにより、室内の湿度を上昇させるようになされている。
【先行技術文献】
【特許文献】
【０００５】
【特許文献１】特開２００７−６４５７５号公報
【特許文献２】特開２０００−３５６３７０号公報
【考案の概要】
【考案が解決しようとする課題】
【０００６】
しかしながら、上述した従来技術は、以下に示す技術的課題を有している。
具体的には、特許文献１のように、装置に設けられた吹出口から気化した水分を吹き出す気化式の加湿器は、加湿能力が低く、室内全体をムラなく均一に加湿するまでに時間がかかるという技術的課題を有している。
【０００７】
また、特許文献２の加熱式の加湿器は、高い加湿能力を有しているものの、吹出口から吐き出される水蒸気が高温になるため、使用に際して安全面での注意が必要であるという技術的課題を有している（ユーザは、加熱式の加湿器を運転させる場合、吹出口の近傍の水蒸気を触らないように注意する必要がある）。
また、加熱式の加湿器は、運転中に装置内部で水を沸騰させるため、誤って加湿器を転倒させると熱湯が零れる虞がある。
また、特許文献２の加熱式の加湿器は、ヒータの熱で水を蒸発させるため、ランニングコスト（電気代）が嵩む（高くなる）という技術的課題も有している。
【０００８】
本考案は、上記技術的課題を解決するためになされたものであり、本考案の目的は、効率よく室内を加湿でき、且つユーザが安全に利用できる加湿装置を提供することにある。
【課題を解決するための手段】
【０００９】
上記課題を解決するためになされた本考案は、建物の室内に設置され、該室内を加湿する加湿装置であって、内部に液体を蓄える貯水槽が設けられた筐体と、前記貯水槽の内部に取り付けられた第１回転ローラと、前記室内の天井面又は壁面に支持部材を介して取り付けられた第２回転ローラと、前記第１回転ローラ又は前記第２回転ローラを回転させる駆動手段と、前記貯水槽の内部に取り付けられた第１回転ローラと前記第２回転ローラとに巻掛けられ前記室内に張架された環状の無端ベルトとを備え、前記無端ベルトは、前記駆動手段が前記第１回転ローラ又は前記第２回転ローラを回転させると、前記貯水槽に蓄えられた液体内を通って該液体の水分を吸収して前記室内を巡回移動し、該巡回移動している際に該吸収した水分が気化されるようになされていることを特徴としている。
【００１０】
このように、本考案によれば、駆動手段が回転ローラ（第１回転ローラおよび第２回転ローラのいずれか）を回転させると、室内に張架された無端ベルトは、前記貯水槽に蓄えられた液体内を通って該液体の水分を吸収し、室内を巡回移動するようになされている。そして、無端ベルトが室内を巡回移動している最中に、無端ベルトに吸収された水分が気化されるため、室内の湿度を上昇させることができる。
また、本考案の構成によれば、例えば、室内の天井面に沿って無端ベルトを張架させたり、或いは、壁面に沿って無端ベルトを張架させたりでき、広領域の加湿面を形成することが可能になるため、室内の空気を効率的に加湿することができる（短時間で加湿することができる）。
【００１１】
また、本考案は、加熱式の加湿器のように高温の水蒸気を吐出する方式ではなく、無端ベルトに吸収された水分を気化する方式を採用しているため、ユーザが安全に利用することができる。
また、本考案の加湿装置は、ヒータによる加熱が必要ないため、加熱式の加湿器に比べてランニングコストを抑制することができる。
【００１２】
また、前記筐体には、前記貯水槽の上方側に、前記無端ベルトを挟持して、該無端ベルトが吸収した水分を適宜量に調整する絞り機構が設けられていることが望ましい。
このように、絞り機構を設けることにより、室内に張架された無端ベルトから室内に水滴が落ちることが防止される。
【００１３】
また、前記液体には、殺菌作用を有する消毒成分、又は、芳香成分若しくは消臭成分が含有されていることが望ましい。
このように構成することにより、本考案によれば、室内の加湿に加えて、さらに、室内を殺菌（或いは除菌）したり、或いは、室内の悪臭を抑制したりできる。
【考案の効果】
【００１４】
本考案によれば、効率よく室内を加湿でき、且つユーザが安全に利用できる加湿装置を提供することができる。
【図面の簡単な説明】
【００１５】
【図１】本考案の実施形態の加湿装置の断面を示した模式図である。
【図２】本考案の実施形態の加湿装置の設置例を示した斜視図である。
【図３】図１に示した加湿装置の筐体の内部を示した模式図である。
【図４】本考案の実施形態の加湿装置のガイド部材の模式図である。
【図５】本考案の実施形態の変形例の加湿装置の断面を示した模式図である。
【図６】従来技術による気化式の加湿器の断面を示した模式図である。
【考案を実施するための形態】
【００１６】
以下、本考案の実施形態の加湿装置について図１〜図４に基づいて説明する。
図１は、本考案の実施形態の加湿装置の断面を示した模式図である。また、図２は、本考案の実施形態の加湿装置の設置例を示した斜視図であり、本実施形態の加湿装置を病室に設置した例を示している。また、図３は、図１に示した加湿装置の筐体の内部を示した模式図である。また、図４は、本考案の実施形態の加湿装置のガイド部材の模式図である。
なお、図中の符号Ａは、建物の室内の天井面を示し、符号Ｂ（Ｂ１、Ｂ２）は、建物の室内に設けられた壁面を示し、符号Ｃは床面を示している。
【００１７】
本実施形態の加湿装置１は、建物の室内の壁面Ｂや天井面Ａに沿って無端ベルト２０を張架し、その無端ベルト２０に水分を吸収させ、室内を巡回させることで、無端ベルト２０に吸収された水分を気化させ室内の空気を加湿させるものである。
【００１８】
具体的には、図１〜図３に示すように、加湿装置１は、上面に開口１０ａが形成され、その内部に水道水等の液体を蓄える貯水槽１１が設けられた筐体１０と、貯水槽１１の内部に回転自在に取り付けられた第１回転ローラ３０と、第１回転ローラ３０を回転させる駆動手段１２（図３参照）と、壁面Ｂに支持部材５１を介して取り付けられた第２回転ローラ５０と、第１回転ローラ３０と第２回転ローラ５０とに巻掛けられ室内に張架された無端ベルト２０とを備えている。
また、筐体１０には、駆動手段１２（図３参照）のオン−オフ動作の指示を受け付け、駆動手段の動作を制御する操作スイッチ（図示しない）が設けられている。
なお、図１では、加湿装置１を構成する筐体１０が、室内の壁面Ｂ１側に寄せられ床面Ｃに載置され、第２回転ローラ５０が壁面Ｂ１と相対向する壁面Ｂ２に取り付けられ、無端ベルト２０が筐体１の内部の第１回転ローラ３０と第２回転ローラ５０とに巻掛けられて壁面Ｂ１、天井面Ａ、および壁面Ｂ２に沿って張架されているが、あくまでもこれは設置の一例である。
【００１９】
また、上記の無端ベルト２０は、長尺矩形の布材（タオル地、フェルト、不織布、織物等の布材）の両端を連結させた環状に形成されている。
この無端ベルト２０は、加湿装置１が設置される室内環境に応じて適宜設計されるものであるため、その大きさ寸法について限定されるものではないが、加湿効率の観点から、幅寸法が大きく形成されていることが望ましい。
そして、駆動手段１２が第１回転ローラ３０を回転させた場合、無端ベルト２０は、貯水槽１１に蓄えられた液体内を通って該液体の水分を吸収し、第１回転ローラ３０、ガイド部材６０、７０、および第２回転ローラ５０を通る経路を通って室内を巡回移動するようになされている。
なお、駆動手段１２（図３参照）は、第１回転ローラ３０を回転（軸心を中心に回転）させることができるものであればよく、具体的な構成について特に限定されるものではない。
例えば、駆動手段１２は、サーボモータ、プーリ、ベルト等により構成され、図示しない電源からの電力供給を受けて、第１回転ローラ３０を回転させるように構成されている。
【００２０】
また、図１及び図３に示すように、筐体１０の内部の貯水槽１１の上方の位置に、無端ベルト２０を挟持して、無端ベルト２０が吸収した水分を適宜量に調整する絞り機構４０が設けられている。
具体的には、絞り機構４０は、貯水槽１１から上方向に向けて移動する無端ベルト２０ａを挟持する一対のピンチローラ４１、４２と、一端が筐体１０の内側面に取り付けられ他端でピンチローラ４１を回転自在に支持する支持板４３と、一端が筐体１０の内側面に取り付けられ他端でピンチローラ４２を回転自在に支持する支持板４４とを備えている。
なお、支持板４３に、支持板４４が保持するピンチローラ４２に向けて、ピンチローラ４１を付勢する付勢機構（バネ等の弾性材で構成される付勢機構）を設けるようにしてもよい。前記付勢機構を設けることで無端ベルト２０に吸収された水分を効果的に絞ることができる。
【００２１】
また、図１および図２に示すように、天井面Ａには、複数のガイド部材６０、７０が取り付けられている（ガイド部材６０、７０が天井面Ａから吊り下げられている）。
また、ガイド部材６０、７０は、筐体１０と第２回転ローラ５０との間に配置され、第１回転ローラ３０と第２回転ローラ５０とに巻掛けられた無端ベルト２０を支持するようになされている。
【００２２】
具体的には、図４に示すように、ガイド部材６０は、相対向して配置された一対の支持部材６０ａと、一対の支持部材６０ａに支持されているガイドローラ６０ｂ１、６０ｂ２とを備えている。
また、ガイドローラ６０ｂ１は、支持部材６０ａの下端側に、その両端が支持され、軸心を中心に回転できるようになされている。また、ガイドローラ６０ｂ２は、ガイドローラ６０ｂ１の上方に配置され、支持部材６０ａに、その両端が支持され、軸心を中心に回転できるようになされている。
【００２３】
また、ガイド部材６０は、その上端部がボルト等により天井面Ａに固定され、天井面Ａから吊り下げられる。
そして、ガイド部材６０の下側に配置されたガイドローラ６０ｂ１には、第２回転ローラ５０から筐体１０に向けて移動する無端ベルト２０ｂが載置される。また、ガイド部材６０の上側に配置されたガイドローラ６０ｂ２には、筐体１０から第２回転ローラ５０に向けて移動する無端ベルト２０ａが載置される。
【００２４】
このように本実施形態では、ガイド部材６０の上段側のガイドローラ６０ｂ２に、貯水槽１１を通過してからの経過時間が短い筐体１０から第２回転ローラ５０に向けて移動する無端ベルト２０ａを載置するようにしている。
また、ガイド部材６０の下段側のガイドローラ６０ｂ１に、無端ベルト２０ａに比べて、貯水槽１１を通過してからの経過時間が長い無端ベルト２０ｂを載置するようにしている（すなわち、ガイドローラ６０ｂ１に、無端ベルト２０ａと比べて、吸収した水分が多く気化され乾いた状態の無端ベルト２０ｂを載置するようにしている）。
この構成により、上段側の無端ベルト２０ｂから水滴が落ちたとしても、下段側の無端ベルト２０ａが当該水滴を受けて吸収することができるため、室内に水滴が垂れることを防止することができる。
【００２５】
また、ガイド部材７０は、相対向して配置された一対の支持部材７０ａと、一対の支持部材７０ａに上下２段に配置されて支持されている２本のガイドローラ７０ｂ１、７０ｂ２とを備えている。
なお、ガイド部材７０は、支持部材７０ａの形状が異なる以外は、ガイド部材６０と同様の構造であるため、詳細な説明を省略する。
【００２６】
つぎに、本実施形態の加湿装置１の動作について図１を用いて説明する。
なお、以下では、説明の便宜上、環状に形成された無端ベルト２０のうち、図示する矢印Ｘが示す部位に着目して、無端ベルト２０の動作を説明する。
【００２７】
具体的には、加湿装置１を運転させて室内を加湿する場合、筐体１０に設けられた操作スイッチ（図示せず）をオン状態にして第１回転ローラ３０を回転させる。
そして、上記第１回転ローラ３０を回転させると、それに従い、無端ベルト２０が駆動され、内側（室内空間側）に配置されている無端ベルト２０（図示する矢印Ｘが示す無端ベルト２０の部位）は、下方向に移動し、筐体１０の開口１０ａを通過して、水槽１１の中の液体を通り、第１回転ローラ３０により動作方向が折り返されて上方向に移動し、水槽１１の外側に移動する。
なお、前記無端ベルト２０は、水槽１１の中の液体を通過する際、液体から水分を吸収する。
【００２８】
また、上記水槽１１を通過した前記無端ベルト２０は、筐体１０の開口１０ａを通って筐体１０の外側に移動し、その後、壁面Ｂ１側のガイド部材７０のガイドローラ７０ｂ２に向け、壁面Ｂ１に沿って上方向に移動する。
なお、前記無端ベルト２０は、水槽１１から開口１０ａに移動する際に、ピンチローラ４１、４２に挟持されながら送り出されるが、これにより、前記吸収した水分が垂れない程度に絞られる。
【００２９】
また、前記無端ベルト２０は、壁面Ｂ１側のガイド部材７０のガイドローラ７０ｂ２を通過すると移動方向を変え、複数のガイド部材６０のガイドローラ６０ｂ２を介して、壁面Ｂ２側のガイド部材７０のガイドローラ７０ｂ２まで、天井面Ａに沿って移動する。
つぎに、前記無端ベルト２０は、壁面Ｂ２側のガイド部材７０のガイドローラ７０ｂ２を通過すると移動方向を下方向に変え、第２回転ローラ５０まで壁面Ｂ２に沿って移動する。
また、前記無端ベルト２０は、第２回転ローラ５０を通過すると移動方向を上方向に変え、壁面Ｂ２側のガイド部材７０のガイドローラ７０ｂ１まで、壁面Ｂ１に沿って移動する。
【００３０】
また、前記無端ベルト２０は、壁面Ｂ２側のガイド部材７０のガイドローラ７０ｂ１を通過すると、複数のガイド部材６０のガイドローラ６０ｂ１を介して、壁面Ｂ１側のガイド部材７０のガイドローラ７０ｂ１まで、天井面Ａに沿って移動する。
また、前記無端ベルト２０は、壁面Ｂ１側のガイド部材７０のガイドローラ７０ｂ１を通過すると移動方向を下方向に変えて基の位置に戻り、その後は、第１回転ローラ３０が停止されるまで上述した動作を繰り返す。
そして、無端ベルト２０が室内を巡回移動している最中に、無端ベルト２０に吸収された水分が気化されることにより、室内の空気が加湿される。
【００３１】
以上説明したように、本実施形態の加湿装置１は、壁面Ｂおよび天井面Ａに沿って張架された広い加湿面積を有する無端ベルト２０により、室内の空気を加湿しているため、短時間に室内の空気を加湿することができる。
【００３２】
また、本実施形態の加湿装置１は、加熱式の加湿器のように高温の水蒸気を吐出する方式ではなく、無端ベルト２０に吸収された水分を気化する方式を採用しているため、ユーザが安全に利用することができる。
そのため、例えば、本実施形態の加湿装置１は、病室に設置したり（図２参照）、或いは、保育園や幼稚園等の教室に利用したりすると特に有効である。
また、本実施形態の加湿装置１は、ヒータによる加熱が必要ないため、加熱式の加湿器に比べてランニングコストが抑制される。
なお、本考案は、上述した実施形態に限定されるものではなくその要旨の範囲内において種々の変形が可能である。
【００３３】
上述した実施形態では、貯水槽１１に貯水する液体として水道水を例示したが、例えば、前記貯水される液体に、「消毒成分」又は「芳香成分若しくは消臭成分」が含有されていてもかまわない（液体が消毒液、液体芳香剤、液体消剤等であってもよい）。
このように構成することにより、室内の加湿に加えて、さらに、室内を殺菌（或いは除菌）したり、或いは、室内の悪臭を抑制したりすることができる。
また、液体に芳香成分（例えば、アロマオイル等）を含有させることにより、室内のユーザに対して、リラックス効果を与えることができる。
【００３４】
また、上述した実施形態では、筐体１０の内部に、第１回転ローラ３０を駆動させる駆動手段１２を設けているが、特にこれに限定されるものではない。
例えば、第２回転ローラ５０側に駆動手段１２を設けて、第２回転ローラ５０を回転させることにより、無端ベルト２０を巡回させるように構成されていてもかまわない。
【００３５】
また、上述した無端ベルト２０の表面に、文字や画像などを記載するようにしてもよい（例えば、無端ベルト２０の表面に文字や画像をプリントする）。
上記の構成により、例えば、無端ベルト２０の表面に企業の広告を記載することも可能になるため、本実施形態の加湿装置１を利用することにより、室内の天井面Ａや壁面Ｂを宣伝広告用のスペースとして有効活用することができる。
また、上記の構成により、例えば、無端ベルト２０の表面に、海、森林、花、動物等を写した写真をプリントしたり、或いは、絵を描いたりすることにより、室内のユーザに対して、リラックス効果を与えることができる。
【００３６】
また、上述した実施形態では、水槽１１、回転ローラ３０等を備えた筐体１０が床面Ｃに載置されている場合を示したが、あくまでもこれは設置の一例に過ぎない。
例えば、図５に示すように、水槽１１、回転ローラ３０等を備えた筐体１０が、ボルトにより壁面Ｂ１に固定されたブラケット８０を介して、壁面Ｂ１に設置されていてもかまわない。なお、ブラケット８０は、例えば、所定の剛性及び強度を有する金属により形成される。
このように構成することにより、ユーザが筐体１０にぶつかることが防止され、安全性を高めることができる。また、室内のスペースを有効活用することができる。
【００３７】
また、上述した実施形態では、無端ベルト２０が、壁面Ｂおよび天井面Ａに沿って張架されているが、例えば、壁面Ｂにだけ無端ベルト２０を張架するように設置してもよい。
この場合には、図１に示す壁面Ｂ１の上方側に（或いは、天井面Ａに）、支持部材５１を介して第２回転ローラ５０を取り付け、第１回転ローラ３０と第２回転ローラ５０との間に無端ベルト２０を巻掛けて、壁面Ｂ１に沿って無端ベルト２０を張架する（この場合、ガイド部材６０、７０は不要になる）。
また、筐体１０を天井面Ａの近傍に設置して（例えば、天井裏に設置して）、ガイド部材６０、７０、および第２回転ローラ５０により、無端ベルト２０を天井面にだけ張架させるようにしてもかまわない。
【００３８】
また、上述した実施形態では、ガイド部材６０、７０が、天井面Ａに取り付けられていたが、ガイド部材６０、７０を壁面Ｂに取り付け、無端ベルト２０を支持するようになされていてもかまわない。
【００３９】
また、筐体１０にカートリッジ式タンク（図示せず）と、前記カートリッジ式タンクと水槽１１をつなぐ連通管（図示せず）とを設け、前記カートリッジ式タンクにより、水槽１１に液体が供給されるように構成されていてもかまわない。この構成により、水槽１１への液体供給作業の負担が軽減される。
また、別室に専用の液体供給タンク（図示せず）を設置し、且つ前記液体供給タンクと、筐体１０の水槽１１とを配水管（図示せず）により接続し、前記液体供給タンクから水槽１１に自動的に液体が供給されるように構成されていてもかまわない。
【符号の説明】
【００４０】
Ａ      天井面
Ｂ、Ｂ１、Ｂ２      壁面
Ｃ      床面
１      加湿装置
１０    筐体
１０ａ  開口（筐体）
１１    貯水槽
１２    駆動手段
２０    無端ベルト
３０    第１回転ローラ
４０    絞り機構
４１、４２      ピンチローラ
４３    支持板
４４    支持板
５０    第２回転ローラ
５１    支持部材
６０    ガイド部材
６０ａ  支持部材（ガイド部材６０）
６０ｂ１、６０ｂ２      ガイドローラ（ガイド部材６０）
７０    ガイド部材
７０ａ  支持部材（ガイド部材７０）
７０ｂ１、７０ｂ２      ガイドローラ（ガイド部材７０）
【図１】
0003151473.tif 000003
【図２】
0003151473.tif 000004
【図３】
0003151473.tif 000005
【図４】
0003151473.tif 000006
【図５】
0003151473.tif 000007
【図６】
0003151473.tif 000008